【手続補正書】
【提出日】平成15年12月12日(2003.12.12)
【手続補正１】
【補正対象書類名】明細書
【補正対象項目名】特許請求の範囲
【補正方法】変更
【補正の内容】
【特許請求の範囲】
【請求項１】
ベッド幅方向に直交する方向が長手方向とされた矩形状でその四辺に枠材を備えた木質のベッド枠体上にベッド本体を設置するようにした１段式のベッドのまわりに、前記ベッド枠体の四隅に対応して立ち上がる４本の支柱とこれらの支柱のうち前記長手方向に対応するものの上端間を結ぶ左右一対の天枠とを備えた金属質のベッド補強構造体を装備してベッド本体上の人命を家屋の倒壊から護るようにする災害安全装置であって、前記ベッド補強構造体の各支柱は、ベッド枠体の四隅に対し連結されてベッド枠体とベッド補強構造体とが一体化されていることを特徴とする災害安全装置。
【請求項２】
請求項１記載のものにおいて、各天枠は、上方に凸状のアーチ形のものとされているとともに、天枠の左右間は、ベッド長手方向に複数本間隔を置いて配列されたアーチ間連結材により結合されている災害安全装置。
【請求項３】
請求項２記載のものにおいて、複数本のアーチ間連結材を含む天枠上には、安全のための覆いが設けられている災害安全装置。
【請求項４】
避難用具を内装した枕であって、背負い用の紐を備えるとともに折り畳まれて前記紐を折り畳み間に介入させ得る一方、開くことで取り出された紐により背負い可能になっている災害安全装置。
【手続補正２】
【補正対象書類名】明細書
【補正対象項目名】０００５
【補正方法】変更
【補正の内容】
【０００５】
【課題を解決するための手段】
前記課題を解決するため、請求項１記載の発明は、ベッド幅方向に直交する方向が長手方向とされた矩形状でその四辺に枠材を備えた木質のベッド枠体上にベッド本体を設置するようにした１段式のベッドのまわりに、前記ベッド枠体の四隅に対応して立ち上がる４本の支柱とこれらの支柱のうち前記長手方向に対応するものの上端間を結ぶ左右一対の天枠とを備えた金属質のベッド補強構造体を装備してベッド本体上の人命を家屋の倒壊から護るようにする災害安全装置であって、前記ベッド補強構造体の各支柱は、ベッド枠体の四隅に対し連結されてベッド枠体とベッド補強構造体とが一体化されていることを特徴とする。
【手続補正３】
【補正対象書類名】明細書
【補正対象項目名】０００６
【補正方法】変更
【補正の内容】
【０００６】
請求項２記載の発明は、請求項１記載のものにおいて、各天枠は、上方に凸状のアーチ形のものとされているとともに、天枠の左右間は、ベッド長手方向に複数本間隔を置いて配列されたアーチ間連結材により結合されている。


【手続補正４】
【補正対象書類名】明細書
【補正対象項目名】０００７
【補正方法】変更
【補正の内容】
【０００７】
請求項３記載の発明は、請求項２記載のものにおいて、複数本のアーチ間連結材を含む天枠上には、安全のための覆いが設けられている。


【手続補正５】
【補正対象書類名】明細書
【補正対象項目名】０００８
【補正方法】変更
【補正の内容】
【０００８】
請求項４記載の発明は、避難用具を内装した枕であって、背負い用の紐を備えるとともに折り畳まれて前記紐を折り畳み間に介入させ得る一方、開くことで取り出された紐により背負い可能になっている。
【手続補正６】
【補正対象書類名】明細書
【補正対象項目名】０００９
【補正方法】変更
【補正の内容】
【０００９】
【実施例】
以下、図示した実施例を参照してこの発明を詳細に説明する。


【手続補正７】
【補正対象書類名】明細書
【補正対象項目名】００１０
【補正方法】変更
【補正の内容】
【００１０】
図１は、ベッドを耐久構造体として形成したものである。


【手続補正８】
【補正対象書類名】明細書
【補正対象項目名】００１１
【補正方法】変更
【補正の内容】
【００１１】
実施例では１段であるが仮想線のように２段でもよい。同ベッドは、木製ではなく、強度の充分な金属が使用されている。


【手続補正９】
【補正対象書類名】明細書
【補正対象項目名】００１２
【補正方法】変更
【補正の内容】
【００１２】
すなわち、５７は枠体で、ブレース５８…でさらなる強度アップが図られている。


【手続補正１０】
【補正対象書類名】明細書
【補正対象項目名】００１３
【補正方法】変更
【補正の内容】
【００１３】
その中段やや下方には、床板５９が複数に分割して剥ぎ取り自在に配され、６０はそのための把手になる穴である。


【手続補正１１】
【補正対象書類名】明細書
【補正対象項目名】００１４
【補正方法】変更
【補正の内容】
【００１４】
そして、床板５９の下方の空間には、開閉扉６１で出し入れ自在な非常収納ボックス６２…が設けられている。


【手続補正１２】
【補正対象書類名】明細書
【補正対象項目名】００２９
【補正方法】変更
【補正の内容】
【００２９】
図１７および図１８は、一般家庭で既に使用されている２段ベッドあるいはこれから販売される２段ベッドを対象にしてそれに補強を追加補充し、地震時に有効に機能するようにした実施例を示している。同ベッドは、１段あるいは３段以上であってもよい。既存のベッドは、木質で四角な断面の支柱３９２…を四隅に配し、これらの支柱３９２…間を底枠材３９３…と中段枠材３９４…で連結するとともに各枠材３９３…、３９４…内に底敷材３９５を配して構成されている。尚、上段連結材３９６も渡してある。このベッドは、ベッド幅方向に直交する方向が長手方向とされた矩形状でその四辺に枠材を備えたベッド枠体上にベッド本体を設置するようにしたものである。
【手続補正１３】
【補正対象書類名】明細書
【補正対象項目名】００３０
【補正方法】変更
【補正の内容】
【００３０】
ベッド補強構造体はこの既存のベッドのまわりを取り囲むようにして設置されている。すなわち、同構造体は、基本的に金属質で製作され、アングル型をして前記支柱３９２の二面に添うようにして前記ベッド枠体の四隅に対応して立ち上がる４本の支柱３９８…と、これらの支柱３９８…の下端を連結する一対の第１底枠材３９９…と、同じく支柱３９８…の下端を連結する一対の第２底枠材４００…とを備えるとともに、支柱３９８…の中段間を連結する中段枠材４０１…と、上段連結材４０２…とを備える。これらは、予め組み立てられるのでなく現場でジョイント板４０３…と装飾ボルト４０４…を使って連結される。現場組立のため、支柱３９８…は、図１８に仮想線で示すように連結ボルト・ナット４０５…で既存ベッド側に止め付けられ、これが既存ベッドと補強構造体との一体化を可能にする。


【手続補正１４】
【補正対象書類名】明細書
【補正対象項目名】００３１
【補正方法】変更
【補正の内容】
【００３１】
支柱３９８…の各下端には、図１８に示すように、支柱３９８の一側面とそれに隣合う他側面とに合致する略Ｌ字形をした座板４０６…が溶接等により固着されており、同座板４０６…の底側には、緩衝部材４０７…が介装されるとともに、座板４０６…同士は前記第２底枠材４００…でボルト連結されている。また、各支柱３８９…の上端には上座板４０８…が取り付けられ、それに緩衝部材４０７…を介してその上に天枠４０９の取付板４１０…が乗りかかってボルト止めされている。天枠４０９は、前記支柱３８９…のうち前記長手方向に対応するものの上端間を結ぶとともに左右一対からなる耐力のあるアーチ形にしており、そのアーチは上方に凸状をなしている。複数本のアーチ間連結材４１２…を含む天枠４０９，４０９上には、安全のための覆いである厚みのある主緩衝部材４１１が載せられて適宜装着される。尚、アーチ間連結材４１２…は、天枠４０９，４０９の左右（ベッド幅方向）間を結合するもので、ベッド長手方向に複数本間隔を置いて配列されている。また、補強体の天底面には、緩衝内張材３８１（図１６参照）を装着しておけば、より安全である。この内張材３９１に代えてあるいは同内張材３９１とともにエアーバッグを装備してもよい。


【手続補正１５】
【補正対象書類名】図面
【補正対象項目名】図１７
【補正方法】変更
【補正の内容】
【図１７】
1997164218.tif 000001